(57)【要約】      （修正有）【課題】両照明領域の効果を有し、且つ照度が向上し、照射された標的物の陰影面が減少され、視覚効果が向上し、さらに、安全性が向上される照明ランプを提供する。【解決手段】照明ランプは、ベース１０の一端に開口を有し、光学レンズ２０が開口に設けられ、光学レンズの中央に第１の投光領域２１を設け、第１の投光領域の周囲に第２の投光領域２２を環設する。さらに、発光モジュール３０をベース内に設け、発光モジュールは、第１の投光領域に対応して配置された少なくとも一つの第１の発光体３１を備え、且つ第１の発光体の周囲に複数の第２の発光体３２を環設する。よって、第１の投光領域を介して第１の発光体からの光を出射し、且つ第２の投光領域を介して第２の発光体からの光を出射させて、内部照明領域及び外部照明領域からなる両照明領域の効果を形成する。【選択図】図２
0003168866.tif 000002
【実用新案登録請求の範囲】
【請求項１】
一端に開口を有するベースと、
前記開口に設けられ、中央に第１の投光領域が設けられ、前記第１の投光領域の周囲に第２の投光領域が環設された光学レンズと、
前記ベース内に設けられ、前記光学レンズの第１の投光領域に対応して配置された少なくとも一つの第１の発光体が設けられ、前記第１の発光体の周囲に前記光学レンズの第２の投光領域に対応して配置された複数の第２の発光体が環設された発光モジュールとを含み、
前記第１の投光領域を介して前記第１の発光体からの光を出射し、前記第２の投光領域を介して前記第２の発光体からの光を出射させることで、両照明領域の効果を形成することを特徴とする照明ランプ。
【請求項２】
前記ベースは、上シェルと下シェルと電源部材とを有し、前記上シェルと前記下シェルとを突き合せてから前記ベースの内部に電源部材を収納するための収納空間が形成され、該電源部材が外部電源に接続されるとともに前記発光モジュールに電気的に接続されていることを特徴とする請求項１に記載の照明ランプ。
【請求項３】
前記第１の投光領域は、前記光学レンズの両端面に互いに対応する第１の凸体及び第２の凸体がそれぞれ設けられ、前記第２の凸体の中央に前記第１の発光体に対応して配置された第１の導光溝が設けられ、前記第２の投光領域は、前記光学レンズの両端面に互いに対応する第１の溝及び第３の凸体がそれぞれ設けられ、前記第３の凸体の中央に前記第２の発光体に対応して配置された第２の導光溝が設けられたことを特徴とする請求項１に記載の照明ランプ。
【請求項４】
前記第１の導光溝内に第１のレンズ構造が設けられ、前記第１の溝と前記第２の導光溝との間に第２のレンズ構造が設けられたことを特徴とする請求項３に記載の照明ランプ。
【請求項５】
前記第１の凸体の表面に屈折面が設けられたことを特徴とする請求項３に記載の照明ランプ。
【請求項６】
前記光学レンズと前記発光モジュールとの間に板体が設けられ、前記第１の発光体と前記第２の発光体の光線を集光して導光するとともに、それぞれが対応の導光溝及びレンズ構造を介して出射させるため、前記板体の中央に少なくとも一つの第１の貫通孔が設けられ、前記第１の貫通孔の周囲に複数の第２の貫通孔が環設されたことを特徴とする請求項１に記載の照明ランプ。
【請求項７】
電気的に接続するため、前記発光モジュールは、前記第１の発光体と前記第２の発光体との間に少なくとも一つの挿通孔が設けられ、前記板体に前記の挿通孔に対応する少なくとも一つの対応用挿通孔が設けられたことを特徴とする請求項６に記載の照明ランプ。
【請求項８】
前記光学レンズの側縁に少なくとも一つの係止具が設けられ、前記ベースの側縁に少なくとも一つの係止溝が設けられ、前記係止具が前記係止溝に対応して係止されたことを特徴とする請求項１に記載の照明ランプ。
【請求項９】
前記ベースの周縁に複数の放熱孔が設けられ、且つ、前記ベースの側縁に複数の放熱フィンが設けられたことを特徴とする請求項１に記載の照明ランプ。
【考案の詳細な説明】
【技術分野】
【０００１】
本考案は、照明ランプに関する。
【背景技術】
【０００２】
従来の照明ランプ内に複数の発光ダイオードが装着され、これらの発光ダイオードが同軸方向に配列されるので、出射された光が中央領域に集中し過ぎるようになり、照明領域の周縁に照度の弱い領域が形成され、標的物（例えば、彫像、器具などの芸術品）を照射するときに、該標的物の一部の面のみに輝面が形成され、他の面に陰影が生じられるため、該標的物の面全体の特徴が表れ難くなる。また、該標的物の周囲に光の弱い環境が形成され、鑑賞者が通ったときにぶつかりし易くなるなど安全上の問題がある。しかしながら、従来では、照明ランプの数を増やして光源を補足することで解決方法とするが、コストが高くなるだけではなく、着脱の時間が増えられ、また、照明ランプの数が足りないときに、問題がそのまま残されている。
【考案の概要】
【考案が解決しようとする課題】
【０００３】
上記を鑑みて、本考案の創作者は、専念に研究や設計、組み立てをし、両照明領域の効果を有し、照射された標的物の陰影面が減少され、視覚効果が向上し、さらに、安全性が向上される照明ランプの提供を期することは、本考案が創作しようとする動機である。
【０００４】
本考案は、両照明領域の効果を有し、且つ照度が向上し、照射された標的物の陰影面が減少され、視覚効果が向上し、さらに、安全性が向上される照明ランプを提供することを主な目的とする。
【課題を解決するための手段】
【０００５】
前記目的を達成するため、本考案による照明ランプは、一端に開口を有するベースと、前記開口に設けられ、中央に第１の投光領域が設けられ、前記第１の投光領域の周囲に第２の投光領域が環設された光学レンズと、前記ベース内に設けられ、前記光学レンズの第１の投光領域に対応して配置された少なくとも一つの第１の発光体が設けられ、前記第１の発光体の周囲に前記光学レンズの第２の投光領域に対応して配置された複数の第２の発光体が環設された発光モジュールとを含む。本考案による照明ランプは、ベースと光学レンズと発光モジュールとの組合設計によって、前記第１の投光領域を介して前記第１の発光体からの光を出射して内部照明領域を形成し、前記第２の投光領域を介して前記第２の発光体からの光を出射して内部照明領域の周りに外部照明領域を形成することで、両照明領域の効果を備えることによって、照度（illuminance）が増加され、照射された標的物の陰影面が減少され、視覚効果が向上し、さらに、安全性が向上されることとなる。
【０００６】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００７】
【図１】本考案による照明ランプを示す斜視図である。
【図２】図１の分解図である。
【図３】本考案による照明ランプの平面図である。
【図４Ａ】図３のＡ−Ａ線の断面図である。
【図４Ｂ】図３のＢ−Ｂ線の断面図である。
【図４Ｃ】図４Ａにおける第１の投光領域にある該光学レンズを示す拡大図である。
【図５】本考案による照明ランプの実施例を示す図である。
【考案を実施するための形態】
【０００８】
図１〜図５に示すように、本考案による照明ランプは、ベース１０と光学レンズ２０と発光モジュール３０とを備える。
【０００９】
ベース１０の一端に開口１０１を有し、光学レンズ２０が開口１０１に設けられ、光学レンズ２０の中央に第１の投光領域２１が設けられ、第１の投光領域２１の周囲に第２の投光領域２２が環設され、発光モジュール３０がベース１０内に設けられ、発光モジュール３０には、光学レンズ２０の第１の投光領域２１に対応して配置された少なくとも一つの第１の発光体３１が設けられ、第１の発光体３１の周囲に光学レンズ２０の第２の投光領域２２に対応して配置された複数の第２の発光体３２が環設された。
【００１０】
よって、第１の投光領域２１を介して第１の発光体３１からの光を出射して内部照明領域を形成し、第２の投光領域２２を介して第２の発光体３２からの光を出射して内部照明領域の周りに外部照明領域を形成することで、両照明領域の効果を備えることによって、照度が増加され、照射された標的物の陰影面が減少され、両照明領域が階層的美観などの視覚効果を備え、さらに、安全性が向上されることとなる。
【００１１】
本実施例では、発光モジュール３０がプリント基板で、ベース１０内にねじにより締め付けられ（図４Ｂに示すように）、第１の発光体３１は、高出力ＬＥＤとし、第２の発光体３２は、中出力ＬＥＤとし、ベース１０は、電気コンセントであり、上シェル１１と下シェル１２と電源部材１３とを有し、上シェル１１と下シェル１２とを突き合せてからベース１０の内部に電源部材１３を収納するための収納空間１０２が形成されることによって、電源部材１３と発光モジュール３０とを別に設け、発生された熱が互いに影響してしまうことを避けられる。
【００１２】
また、電源部材１３の一端が下シェル１２に挿通して外部電源に接続され、電源部材１３の他端がコードを介して、上シェル１１の内部に設けられた少なくとも一つの挿通孔１１１に挿通して発光モジュール３０に電気的に接続された（図４Ａを参照する）。上シェル１１と下シェル１２とが着脱し易いように形成されるため、電源部材１３を取り外し易くなるほか、交換更新にも有利となる。
【００１３】
第１の投光領域２１は、光学レンズ２０の両端に互いに対応する第１の凸体２１１及び第２の凸体２１２がそれぞれ設けられ、第２の凸体２１２の中央に第１の発光体３１に対応して配置された第１の導光溝２１３が設けられ、第２の投光領域２２は、光学レンズ２０の両端に互いに対応する第１の溝２２１及び第３の凸体２２２がそれぞれ設けられ、第３の凸体２２２の中央に第２の発光体３２に対応して配置された第２の導光溝２２３が設けられた。
【００１４】
さらに、第１の導光溝２１３内に第１のレンズ構造２１４が設けられ、第１の溝２２１と第２の導光溝２２３との間に第２のレンズ構造２２４が設けられた。
【００１５】
本考案は、第２の凸体２１２を第１の発光体３１に隣接して、第１の発光体３１を点灯した後に、その光が第１の導光溝２１３内に直接に入射させることで、第１のレンズ構造２１４が投射し易くなるように構成され、第３の凸体２２２、第２の導光溝２２３、第２の発光体３２及び第２のレンズ構造２２４の間も、上記と同じ仕組みになっている。
【００１６】
本明細書に記述された第１のレンズ構造２１４は、平凸レンズ、凹凸レンズ、両凸レンズ、平凹レンズ及び両凹レンズのうちから選んだいずれかの一つである。第２のレンズ構造２２４は、第１のレンズ構造２１４と同一または異なる構造である。よって、本考案による照明ランプの両照明領域の効果が向上される。
【００１７】
また、第１の凸体２１１の表面に光を屈折させることが可能な屈折面２１５が設けられ、高出力ＬＥＤ（すなわち、第１の発光体３１）の直射による目への刺激を避けるとともに、第１の発光体３１と第２の発光体３２の発光強度（luminous intensity）が第１の投光領域２１及び第２の投光領域２２を経由して出射された後に一致となり、内部照明領域と外部照明領域とが大きな範囲且つ照度均一な照明領域に結合されるようになる。
【００１８】
光学レンズ２０と発光モジュール３０との間に板体４０が設けられ、第１の発光体３１と第２の発光体３２の光線を集光して導光するとともに、それぞれが対応の導光溝及びレンズ構造を介して出射させるため、板体４０の中央に少なくとも一つの第１の貫通孔４１が設けられ、第１の貫通孔４１の周囲に複数の第２の貫通孔４２が環設された。
【００１９】
電源部材１３のコードを発光モジュール３０に接続して電気的に接続させるため、発光モジュール３０は、第１の発光体３１と第２の発光体３２との間に少なくとも一つの挿通孔３３が設けられ、板体４０に少なくとも一つの対応用挿通孔４３が設けられ、対応用挿通孔４３は長弧状と呈し且つ挿通孔３３に合わせて配置された。
【００２０】
光学レンズ２０の側縁に少なくとも一つの係止具２３が設けられ、ベース１０の側縁に少なくとも一つの係止溝１０３が設けられ、係止具２３が係止溝１０３に対応して係止され（図４Ｂに示すように）、よって、光学レンズ２０を取り外し易く、交換更新し易くなる。
【００２１】
また、放熱効果が向上させるため、ベース１０の周縁に複数の放熱孔１０４が設けられ、ベース１０の側縁に複数の放熱フィン１０５が設けられた。
【００２２】
以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２３】
１０ベース
１１上シェル
１２下シェル
１３電源部材
２０光学レンズ
２１第１の投光領域
２２第２の投光領域
２３係止具
３０発光モジュール
３１第１の発光体
３２第２の発光体
３３挿通孔
４０板体
４１第１の貫通孔
４２第２の貫通孔
４３対応用挿通孔
９０標的物
１０１開口
１０２収納空間
１０３係止溝
１０４放熱孔
１０５放熱フィン
１１１挿通孔
２１１第１の凸体
２１２第２の凸体
２１３第１の導光溝
２１４第１のレンズ構造
２１５屈折面
２２１第１の溝
２２２第３の凸体
２２３第２の導光溝
２２４第２のレンズ構造
【図１】
0003168866.tif 000003
【図２】
0003168866.tif 000004
【図３】
0003168866.tif 000005
【図４Ａ】
0003168866.tif 000006
【図４Ｂ】
0003168866.tif 000007
【図４Ｃ】
0003168866.tif 000008
【図５】
0003168866.tif 000009